(57)【要約】【課題】キッチン用フロアキャビネットのシンク部分の幕板とカウンターとの間のデッドスペースを有効に利用して、サポートバーは、使用時にはスリット内から前方に突出させて使用し易いようにするとともに、不使用時にはスリット内に没入させて見栄えを向上できるように工夫したキッチン設備を提供する。【解決手段】身体を支えるためのサポートバー１１が設けられ、サポートバー１１は、キッチン用フロアキャビネット１のシンク３の部分の幕板１２とカウンター１３との間に形成された横長のスリット１４に対して出没するように支持機構１５で支持されて、使用時は、支持機構１５を介してスリット１４内から前方に突出されるとともに、不使用時は、支持機構１５を介してスリット１４内に没入されるように構成されている。【選択図】図４
2008048773.tif 000002
【特許請求の範囲】
【請求項１】
身体を支えるためのサポートバーが設けられ、サポートバーは、キッチン用フロアキャビネットのシンク部分の幕板とカウンターとの間に形成された横長のスリットに対して出没するように支持機構で支持されて、使用時は、支持機構を介してスリット内から前方に突出されるとともに、不使用時は、支持機構を介してスリット内に没入されるように構成されていることを特徴とするキッチン設備。
【請求項２】
前記支持機構は、往復旋回可能なアーム部材であることを特徴とする請求項１に記載のキッチン設備。
【請求項３】
前記支持機構は、往復直進可能なスライド部材であることを特徴とする請求項１に記載のキッチン設備。
【請求項４】
前記支持機構は、往復直進可能なパンタグラフ部材であることを特徴とする請求項１に記載のキッチン設備。
【請求項５】
前記サポートバーは、スリット内に没入された時、前面が幕板と面一となるように形成されていることを特徴とする請求項１〜４のいずれか一項に記載のキッチン設備。
【請求項６】
前記サポートバーは、スリット内から前方に突出された時、幕板との間に空間が形成されていることを特徴とする請求項１〜５のいずれか一項に記載のキッチン設備。
【発明の詳細な説明】
【技術分野】
【０００１】
本発明は、身体を支えるためのサポートバーが設けられたキッチン設備に関する。
【背景技術】
【０００２】
従来、キャビネットの前面上部に、身体支持具（サポートバー）を備えたキッチンが提案されている（特許文献１参照）。
【０００３】
この身体支持具は、キッチン用フロアキャビネットのシンク部分の幕板を貫通する軸部
（支持機構）を天井板（カウンター）で支持して、螺入深さまたはスライド移動で突出長さを調整できるようにしたものである。
【特許文献１】特開平７−２３８２５号公報
【発明の開示】
【発明が解決しようとする課題】
【０００４】
しかしながら、背景技術では、身体支持具は、使用時、不使用時に拘わらず、常にシンク部分の幕板の前方に突出しているものであり、突出長さの調整は、ドライバーのような工具を用いる必要があるので、事実上は、幕板の前方の突出位置に固定されるものであるから、不使用時には見栄えが悪いという問題があった。
【０００５】
本発明は、前記問題を解消するためになされたもので、キッチン用フロアキャビネットのシンク部分の幕板とカウンターとの間のデッドスペースを有効に利用して、サポートバーは、使用時にはスリット内から前方に突出させて使用し易いようにするとともに、不使用時にはスリット内に没入させて見栄えを向上できるように工夫したキッチン設備を提供することを目的とするものである。
【課題を解決するための手段】
【０００６】
前記課題を解決するために、本発明は、身体を支えるためのサポートバーが設けられ、サポートバーは、キッチン用フロアキャビネットのシンク部分の幕板とカウンターとの間に形成された横長のスリットに対して出没するように支持機構で支持されて、使用時は、支持機構を介してスリット内から前方に突出されるとともに、不使用時は、支持機構を介してスリット内に没入されるように構成されていることを特徴とするキッチン設備を提供するものである。
【０００７】
前記支持機構は、請求項２のように、往復旋回可能なアーム部材である構成、請求項３のように、往復直進可能なスライド部材である構成、請求項４のように、往復直進可能なパンタグラフ部材である構成のいずれかを採用することができる。
【０００８】
請求項５のように、前記サポートバーは、スリット内に没入された時、前面が幕板と面一となるように形成されていることが好ましい。
【０００９】
請求項６のように、前記サポートバーは、スリット内から前方に突出された時、幕板との間に空間が形成されていることが好ましい。
【発明の効果】
【００１０】
本発明によれば、キッチン用フロアキャビネットのシンク部分の幕板とカウンターとの間に横長のスリットを形成して、サポートバーを支持機構で支持することにより、使用時には、支持機構を介してサポートバーをスリット内から前方に突出させることで、使用し易いようになるとともに、不使用時には、支持機構を介してサポートバーをスリット内に没入させることで、見栄えが向上するようになる。
【００１１】
また、シンク部分の幕板の奥のデッドスペース（奥にシンクの下部分が位置する関係で、引き出し等を設けることができない。）を有効に利用して、支持機構等を設けることができる。
【００１２】
請求項２のような旋回式のアーム部材、請求項３，４のような直進式のスライド部材やパンタグラフ部材によって、サポートバーをスムーズに出没移動させることができる。
【００１３】
請求項５によれば、スリット内に没入されたサポートバーの前面が幕板と面一となるので、より見栄えが向上するようになる。
【００１４】
請求項６によれば、使用時にサポートバーをスリット内から前方に突出させると、幕板との間に空間が開くことで、シンクからの飛水等が空間を通過できるから、例えばこの空間が板等で閉鎖されている場合と比較すると、飛水等が閉鎖板等に付着して溜まることが無いので、不衛生にならなくなる。
【発明を実施するための最良の形態】
【００１５】
以下、本発明を実施するための最良の形態について、図面を参照しながら詳細に説明する。
【００１６】
図１に示すように、キッチン設備には、フロアキャビネット１が設置されているとともに、フロアキャビネット１の上方には、昇降棚ユニット２が設置されている。フロアキャビネット１の上には、シンク３や電磁調理器４等が配置されている。
【００１７】
図２に示したように、フロアキャビネット１のシンク３の部分の前面上部には、身体を支えるためのサポートバー１１が設けられている。
【００１８】
このサポートバー１１は、不使用時には、図１のように、シンク３の部分の幕板１２と前面１１ａが面一となるように没入できるとともに（矢印ａ参照）、使用時には、図２のように、シンク３の部分の幕板１２よりも前方に突出できるようになる（矢印ｂ参照）。
【００１９】
図３（ａ）はフロアキャビネット１のシンク３の部分の縦断面図、図３（ｂ）はカウンター１３を上に外したフロアキャビネット１のシンク３の部分の斜視図である。
【００２０】
フロアキャビネット１のシンク３の部分の幕板１２とカウンター１３との間には、横長のスリット１４が形成されている。このシンク３の部分の幕板１２の奥にはシンク３の下部分が位置する関係で、奥行きの浅い空間しか残されていないので、奥行きが必要な引き出し等を設けることができないために、通常は、何も無いデッドスペースＤＳとなっている。
【００２１】
そして、サポートバー１１は、このスリット１４に嵌り合う外形状に形成されて、このスリット１４内に設けられた支持機構（後述）１５で、使用時は、支持機構１５を介してスリット１４内から前方に突出されるとともに〔図３（ａ）（ｂ）の状態〕、不使用時は、支持機構１５を介してスリット１４内に没入されるように構成されている。この没入時に、サポートバー１１の前面１１ａがシンク３の部分の幕板１２と面一となる。
【００２２】
図４は、往復旋回可能なアーム部材１６を用いた第１実施形態の支持機構１５であり、（ａ）は斜視図、（ｂ）は略画的平面図である。
【００２３】
スリット１４内には、左右一対のアーム部材１６が配置されて、各アーム部材１６の後端部のピン１６ａがスリット１４内の奥位置の下面に回動可能に支持されるとともに、各アーム部材１６の前端部のピン１６ｂがサポートバー１１の裏面に旋回可能に支持されている。
【００２４】
これにより、サポートバー１１は、使用時には、アーム部材１６の往旋回（矢印ｃ参照）によって、実線のように、スリット１４内から前方に旋回しながら突出されるとともに、不使用時は、アーム部材１６の復旋回（矢印ｄ参照）によって、二点鎖線のように、スリット１４内に旋回しながら没入されるようになる。
【００２５】
スリット１４内の奥位置には、公知のプッシュ・プッシュ式のロック機構１８が設けられていて、不使用時に、第１回目のプッシュ操作でサポートバー１１をスリット１４内に没入させた時に、この没入位置にサポートバー１１をロックするとともに、使用時に、サポートバー１１を第２回目のプッシュ操作をすると、そのロックが解除されるようになる。
【００２６】
アーム部材１６には、アーム部材１６を往旋回（矢印ｃ参照）方向に付勢するスプリング（不図示）が設けられて、サポートバー１１を第１回目のプッシュ操作でスリット１４内に没入させる時は、このスプリングの付勢力に抗してロック機構１８でロックするとともに、サポートバー１１が第２回目のプッシュ操作でロックが解除された時は、このスプリングの付勢力でサポートバー１１が往旋回（矢印ｃ参照）するようになる。
【００２７】
このスプリングの付勢力でサポートバー１１が往旋回して、シンク３の部分の幕板１２よりも前方に所定の突出量で突出した位置で、ストッパー（不図示）により往旋回が停止されるようになる。
【００２８】
また、サポートバー１１がストッパーにより往旋回が停止された時に、この状態で、復旋回しないように、すなわち、往旋回位置でロックするとともに、ロック解除ボタン１９のプッシュ操作等でロック解除することで、復旋回方向に旋回できるようにすることが好ましい。このようにすれば、サポートバー１１を手で握ったり、サポートバー１１に身体をもたれかけたりしても、サポートバー１１が往旋回位置から復旋回方向に旋回しないので、安全性が向上するようになる。
【００２９】
前記のようにキッチン設備を構成すれば、キッチン用フロアキャビネット１のシンク３の部分の幕板１２とカウンター１３との間に横長のスリット１４を形成して、サポートバー１１をスリット１４内のアーム部材（支持機構）１６で支持することにより、使用時には、アーム部材１６を介してスリット１４内から前方に突出させることで、使用し易いようになる。
【００３０】
また、不使用時には、アーム部材１６を介してスリット１４内に没入させることで、見栄えが向上するようになる。
【００３１】
特に、サポートバー１１は、スリット１４内に没入された時、前面１１ａが幕板１２と面一となるので、より見栄えが向上するようになる。
【００３２】
さらに、シンク３の部分の幕板１２の奥のデッドスペースＤＳを有効に利用して、アーム部材１６を設けることができる。
【００３３】
さらにまた、アーム部材１６によって、サポートバー１１をスムーズに出没移動させることができる。
【００３４】
また、サポートバー１１を左右一対のアーム部材１６で支持することで、サポートバー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。
【００３５】
図５は、往復直進可能なスライド部材２０を用いた第２実施形態の支持機構１５であり、（ａ）はフロアキャビネット１のシンク３の部分の縦断面図、（ｂ）はカウンター１３を外したフロアキャビネット１のシンク３の部分の斜視図である。
【００３６】
スリット１４内のフロアキャビネット１の左右の側壁１ａ〔図５（ａ）（ｂ）では、フロアキャビネット１に向かって左の側壁１ａのみを図示して、右の側壁１ａの図示を省略している。〕には、前後方向に延在する略Ｃ字形状のレール２１がそれぞれ取付けられて、各レール２１にスライド部材２０が前後方向に往復直進可能にそれぞれ支持されている。各スライド部材２０の先端部には、サポートバー１１の両端部が固定されている。
【００３７】
これにより、サポートバー１１は、使用時には、スライド部材２０の往直進（矢印ｅ参照）によって、スリット１４内から前方に直進しながら突出されるとともに、不使用時は、スライド部材２０の復直進（矢印ｆ参照）によって、スリット１４内に直進しながら没入されるようになる。
【００３８】
スリット１４内の奥位置には、公知のプッシュ・プッシュ式のロック機構１８が設けられていて、不使用時に、第１回目のプッシュ操作でサポートバー１１をスリット１４内に没入させた時に、この没入位置にサポートバー１１をロックするとともに、使用時に、サポートバー１１を第２回目のプッシュ操作をすると、そのロックが解除されるようになる。
【００３９】
スライド部材２０のブラケット２３には、スライド部材２０を往直進（矢印ｅ参照）方向に付勢するスプリング２２が設けられて、サポートバー１１を第１回目のプッシュ操作でスリット１４内に没入させる時は、このスプリング２２の付勢力に抗してロック機構１８でロックするとともに、サポートバー１１が第２回目のプッシュ操作でロックが解除された時は、このスプリング２２の付勢力でサポートバー１１が往直進（矢印ｅ参照）するようになる。
【００４０】
このスプリング２２の付勢力でサポートバー１１が往直進して、シンク３の部分の幕板１２よりも前方に所定の突出量で突出した位置で、ストッパー（不図示）により往直進が停止されるようになる。
【００４１】
また、サポートバー１１がストッパーにより往直進が停止された時に、この状態で、復直進しないように、すなわち、往直進位置でフロアキャビネット１の側壁１ａの前端１ｂに係止ロックされるロック突起２４がスライド部材２０に設けられて、このロック突起２４のプッシュ操作でロック解除することで、復直進方向に直進できるようになっている。このようにすれば、サポートバー１１を手で握ったり、サポートバー１１に身体をもたれかけたりしても、サポートバー１１が往直進位置から復直進方向に直進しないので、安全性が向上するようになる。
【００４２】
前記のようにキッチン設備を構成すれば、キッチン用フロアキャビネット１のシンク３の部分の幕板１２とカウンター１３との間に横長のスリット１４を形成して、サポートバー１１をスリット１４内のスライド部材（支持機構）２０で支持することにより、使用時には、スライド部材２０を介してスリット１４内から前方に突出させることで、使用し易いようになる。
【００４３】
また、不使用時には、スライド部材２０を介してスリット１４内に没入させることで、見栄えが向上するようになる。
【００４４】
特に、サポートバー１１は、スリット１４内に没入された時、前面１１ａが幕板１２と面一となるので、より見栄えが向上するようになる。
【００４５】
さらに、シンク３の部分の幕板１２の奥のデッドスペースＤＳを有効に利用して、スライド部材２０を設けることができる。なお、レール２１とスライド部材２０は、奥行き方向に長いものであるが、シンク３の左右両側部と側壁１ａとの間の僅かな隙間に位置させることができる。
【００４６】
さらにまた、スライド部材２０によって、サポートバー１１をスムーズに出没移動させることができる。
【００４７】
また、サポートバー１１を左右一対のスライド部材２０で支持することで、サポートバー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。なお、サポートバー１１は、左右一対のスライド部材２０で両持ち支持しているが、シンク３の横幅が非常に広い等の理由があれば、いずれか一方のスライド部材２０で片持ち支持することもできる。
【００４８】
図６〜図８は、往復直進可能なパンタグラフ部材２６を用いた第３実施形態の支持機構１５であり、図６は、カウンター１３を外したフロアキャビネット１のシンク３の部分の斜視図である。図７（ａ）はサポートバー１１の突出位置の平面図、（ｂ）は正面図、（ｃ）は側面図である。図８（ａ）はサポートバー１１の没入位置の平面図、（ｂ）は側面図である。
【００４９】
カウンター１３の前端部よりもやや奥まった位置に幕板１２が取付けられ、この幕板１２の前方に横長長方形状の化粧パネル２７が配置され、この化粧パネル２７の内面上端部にサポートバー１１が固定されている。
【００５０】
幕板１２と化粧パネル２７との間には、左右一対の菱形状パンタグラフ部材２６が配置されて、各パンタグラフ部材２６の後部が幕板１２に固定されるとともに、各パンタグラフ部材２６の前部が化粧パネル２７の裏面に固定されている。
【００５１】
これにより、サポートバー１１は、使用時には、パンタグラフ部材２６の往直進〔図７（ｃ）の矢印ｇ参照〕によって、化粧パネル２７とともにスリット１４内から前方に直進しながら突出されるとともに、不使用時は、パンタグラフ部材２６の復直進〔図７（ｂ）の矢印ｈ参照〕によって、化粧パネル２７とともにスリット１４内に直進しながら没入されるようになる。
【００５２】
スリット１４内の奥位置には、公知のプッシュ・プッシュ式のロック機構１８が設けられていて、不使用時に、第１回目のプッシュ操作で化粧パネル２７とともにサポートバー１１をスリット１４内に没入させた時に、この没入位置に化粧パネル２７をロックするとともに、使用時に、化粧パネル２７を第２回目のプッシュ操作をすると、そのロックが解除されるようになる。
【００５３】
左右のパンタグラフ部材２６には、連動シャフト２８が貫通されるとともに、各パンタグラフ部材２６には、パンタグラフ部材２６を往直進（矢印ｇ参照）方向に付勢するスプリング２９が設けられて、化粧パネル２７とともにサポートバー１１を第１回目のプッシュ操作でスリット１４内に没入させる時は、このスプリング２９の付勢力に抗してロック機構１８でロックするとともに、化粧パネル２７が第２回目のプッシュ操作でロックが解除された時は、このスプリング２９の付勢力で化粧パネル２７とともにサポートバー１１が往直進（矢印ｇ参照）するようになる。
【００５４】
このスプリング２９の付勢力で化粧パネル２７とともにサポートバー１１が往直進して、シンク３の部分の幕板１２よりも前方に所定の突出量で突出した位置で、連動シャフト２８のストッパー（不図示）でパンタグラフ部材２６の往直進を規制することにより、化粧パネル２７とともにサポートバー１１の往直進が停止されるようになる。
【００５５】
また、サポートバー１１がストッパーにより往直進が停止された時に、この状態で、復直進しないように、すなわち、往直進位置でロックするとともに、ロック解除ボタン（不図示）のプッシュ操作等でロック解除することで、復直進方向に直進できるようにすることが好ましい。このようにすれば、サポートバー１１を手で握ったり、サポートバー１１に身体をもたれかけたりしても、サポートバー１１が往直進位置から復直進方向に直進しないので、安全性が向上するようになる。
【００５６】
前記のようにキッチン設備を構成すれば、キッチン用フロアキャビネット１のシンク３の部分の幕板１２とカウンター１３との間に横長のスリット１４を形成して、サポートバー１１をパンタグラフ部材（支持機構）２６で支持することにより、使用時には、パンタグラフ部材２６を介してスリット１４内から前方に突出させることで、使用し易いようになる。
【００５７】
また、不使用時には、パンタグラフ部材２６を介してスリット１４内に没入させることで、見栄えが向上するようになる。
【００５８】
さらに、シンク３の部分の幕板１２の奥のデッドスペースＤＳを有効に利用して、パンタグラフ部材２６を設けることができる。
【００５９】
さらにまた、パンタグラフ部材２６によって、サポートバー１１をスムーズに出没移動させることができる。
【００６０】
また、サポートバー１１を左右一対のパンタグラフ部材２６で支持することで、サポートバー１１がスリット１４内から前方に突出された時、幕板１２との間に空間Ｓが開くことで、シンク３からの飛水等が空間Ｓを通過できるから、例えばこの空間Ｓが板等で閉鎖されている場合と比較すると、飛水等が閉鎖板等に付着して溜まることが無いので、不衛生にならなくなる。
【図面の簡単な説明】
【００６１】
【図１】本発明の実施形態に係るサポートバーを没入させたキッチン設備の斜視図である。
【図２】図１のサポートバーを突出させたキッチン設備の斜視図である。
【図３】（ａ）はフロアキャビネットのシンク部分の縦断面図、（ｂ）はカウンターを上に外したフロアキャビネットのシンク部分の斜視図である。
【図４】往復旋回可能なアーム部材を用いた第１実施形態の支持機構であり、（ａ）は斜視図、（ｂ）は略画的平面図である。
【図５】往復直進可能なスライド部材を用いた第２実施形態の支持機構であり、（ａ）はフロアキャビネットのシンクの部分の縦断面図、（ｂ）はカウンターを外したフロアキャビネットのシンク部分の斜視図である。
【図６】往復直進可能なパンタグラフ部材を用いた第３実施形態の支持機構であり、カウンターを外したフロアキャビネットのシンク部分の斜視図である。
【図７】（ａ）はサポートバーの突出位置の平面図、（ｂ）は正面図、（ｃ）は側面図である。
【図８】（ａ）はサポートバーの没入位置の平面図、（ｂ）は側面図である。
【符号の説明】
【００６２】
１      フロアキャビネット
３      シンク
１１    サポートバー
１１ａ  前面
１２    幕板
１３    カウンター
１４    スリット
１５    支持機構
１６    アーム部材
１８    ロック機構
１９    ロック解除ボタン
２０    スライド部材
２６    パンタグラフ部材
２７    化粧パネル
ＤＳ    デッドスペース
Ｓ      空間
【図１】
2008048773.tif 000003
【図２】
2008048773.tif 000004
【図３】
2008048773.tif 000005
【図４】
2008048773.tif 000006
【図５】
2008048773.tif 000007
【図６】
2008048773.tif 000008
【図７】
2008048773.tif 000009
【図８】
2008048773.tif 000010